(57)【要約】【課題】透視性材料で折れ蓋構成の蓋装置の外観性を高めること。【解決手段】洗濯機本体上面を上方に開閉可能な蓋装置を、軸支構造５３で折り畳み可能に構成した透明部材の前蓋４０および透明部材の後蓋４２と、前蓋４０に構成した蓋開閉用の把手部３７と、前蓋４０の裏面に配置した前蓋当て板４１とおよび後蓋４２裏面に配置した後蓋当て板４４で構成し、後蓋当て板４４は不透明部材で構成し、軸支構造５３を不透明部材の後蓋当て板４４の開口４３側に延設した遮蔽リブ５２の下方に配置したもので、蓋装置の閉じ状態で透明の中央部から、軸支構造５３や金型上の摺動の筋状の跡などの構成が外部から視認することがなくなり、デザイン性が向上するものである。【選択図】図４
2011200274.tif 000002
【特許請求の範囲】
【請求項１】
軸支構造により折り畳み可能に構成した透明部を有する前蓋および透明部を有する後蓋と、前記前蓋に構成した蓋開閉用の把手部と、前記後蓋裏面に配置した後蓋当て板とを備え、前記後蓋当て板は不透明部材で構成するとともに、前記軸支構造を前記後蓋当て板の遮蔽リブの下方に配置した洗濯機の蓋装置。
【請求項２】
把手部は、後蓋と対向する位置であって前蓋の前方部に配置した請求項１記載の洗濯機の蓋装置。
【請求項３】
洗濯機本体と、前記洗濯機本体の前方に操作表示パネルを配した上面カバーと、前記上面カバーの略中央位置に設けられ上方向に開閉可能な蓋装置とを備えた請求項１または２に記載の洗濯機。
【発明の詳細な説明】
【技術分野】
【０００１】
本発明は、洗濯機本体の上面にて、前後蓋体を軸支して折れ蓋構成として開閉動作をおこなう洗濯機の蓋装置およびこれを備えた洗濯機に関するものである。
【背景技術】
【０００２】
従来、この種の洗濯機の蓋装置では、複数の蓋体を相互に軸支して折れ蓋構成とし、さらに洗濯中に衣類の動きを使用者に可視化するために透視材料で構成し、洗濯機本体の上面に開閉自在に設けていた（例えば、特許文献１参照）。
【０００３】
図６は、特許文献１に記載された従来の洗濯機の蓋体の平面図を示すもので、図７（ａ）は、同洗濯機の後蓋の合わせ面側の側面図、（ｂ）は同洗濯機の後蓋の要部断面図、（ｃ）は同洗濯機の前蓋の合わせ面側の側面図、（ｄ）は同洗濯機の前蓋の要部断面図である。
【０００４】
図６に示すように、開閉蓋８は、一端を軸支部９により上方へ回動自在に軸支して洗濯機本体（図示せず）の上面に設けている。この開閉蓋８は軸線１０に沿って折り畳み可能な２枚の蓋体８ａ、８ｂで構成している。
【０００５】
前記蓋体における一方の蓋体８ａの端部には、図７（ａ）に示すように、軸線１０に沿って片持支持される複数個の支持軸１１ａを略中央部に略等間隔に一体に形成し、他方の蓋体８ｂには、図７（ｃ）に示すように、支持軸１１ａを保持する同数の横穴構成の軸受部１２ａを前記の支持軸１１ａと対応する位置に一体に形成し、図６の軸支部１３を構成し、これら蓋体８ａと蓋体８ｂとを軸支部１３にて連結して開閉蓋を構成する。
【０００６】
蓋体８ａ、８ｂは、透視性の材料で構成し、洗濯機本体の前方側の蓋体８ｂに把手部１４を設け、この把手部１４と対応する位置に蓋体８ａ、８ｂを相互に軸支部１３により軸支している。
【０００７】
上記構成において、２枚の蓋体８ａ、８ｂを相互に略中央部にて支持軸１１ａを軸受部１２ａに貫通させて、軸支部１３により軸支し、折れ蓋構成としているので、蓋体８ａ、８ｂが多少反った場合でも、蓋体８ａ、８ｂの略中央部の反り量は、両端部である支持軸１１ａ、軸受部１２ａの反り量と比較して少ないために、反りの影響が少なく、蓋体８ａ、８ｂを容易に連結できて折れ蓋を構成するものである。
【０００８】
また、洗濯機本体の前方側の蓋体８ｂの略中央部に不透明部材の把手部１４を設け、この把手部１４と対応する位置に蓋体８ａ、８ｂを相互に軸支する軸支部１３を設けているので、蓋体８ａ、８ｂを透視性を有する材料で構成した場合でも、表面から蓋裏面の軸支構造を見え難くすることができ、デザイン性を損なわないように配慮している。
【先行技術文献】
【特許文献】
【０００９】
【特許文献１】特開２０００−２７９６８９号公報
【発明の概要】
【発明が解決しようとする課題】
【００１０】
しかしながら、このような従来の構成では、蓋体８ａ、８ｂを相互に軸支する軸支部１３を把手部１４に対応する位置に配置して蓋裏面の軸支構造を見えにくくする構造のため、たとえば把手部を前方側の蓋体８ｂの前方（すなわち洗濯機前面側、図６でＦ位置）に配置した時には把手部１４で軸支構造を被覆すると蓋体の透視性が損なわれる。
【００１１】
また、透視性を優先して把手部１４で軸支構造を被覆しない場合には、軸支構造が透明部材の蓋体８ｂより視認してしまう欠点がある。
【００１２】
また、把手部１４の位置を表面から蓋裏面の軸支構造が見え難くするために、あえて蓋体８ｂの略中央部に設けることで、使い勝手やデザイン上の制約を強いられる構成であった。
【００１３】
また図６において、軸支部１３の視認を防止するためには、軸支部１３配置幅は把手部１４の幅以下しなければ効果が出ないが、その結果蓋体８ａ、８ｂの回動支持幅が狭くなり回動動作が不安定になるという問題もあった。
【００１４】
本発明は、上記従来の課題を解決するもので、透視性材料で構成された蓋装置の外観性を高め、使い勝手を向上させることを目的としている。
【課題を解決するための手段】
【００１５】
上記目的を達成するために、本発明の洗濯機の蓋装置は、軸支構造により折り畳み可能に構成した透明部を有する前蓋および透明部を有する後蓋と、前記前蓋に構成した蓋開閉用の把手部と、前記後蓋裏面に配置した後蓋当て板とを備え、前記後蓋当て板は不透明部材で構成するとともに、前記軸支構造を前記後蓋当て板の遮蔽リブの下方に配置したものである。
【００１６】
これにより、蓋体を閉じた状態で内方を見た際の、軸支構造や金型上の摺動の筋状の跡などを見えにくくすることができ、外観性を高める構成で商品価値が向上するものである。
【発明の効果】
【００１７】
本発明の洗濯機の蓋装置は、軸支構造を見えにくくして透視性材料で構成された蓋の外観性を高めることができる。
【図面の簡単な説明】
【００１８】
【図１】本発明の実施の形態１における洗濯機の蓋を備えた洗濯機の斜視図
【図２】同洗濯機の蓋開き時の洗濯機の斜視図
【図３】同洗濯機の蓋の外観斜視図
【図４】同洗濯機の蓋の断面図および要部拡大断面図
【図５】同洗濯機の蓋の分解斜視図
【図６】従来の洗濯機の蓋体の平面図
【図７】（ａ）従来の洗濯機の後蓋の合わせ面側の側面図（ｂ）同洗濯機の後蓋の要部断面図（ｃ）同洗濯機の前蓋の合わせ面側の側面図（ｄ）同洗濯機の前蓋の要部断面図
【発明を実施するための形態】
【００１９】
第１の発明は、軸支構造により折り畳み可能に構成した透明部を有する前蓋および透明部を有する後蓋と、前記前蓋に構成した蓋開閉用の把手部と、前記後蓋裏面に配置した後蓋当て板とを備え、前記後蓋当て板は不透明部材で構成するとともに、前記軸支構造を前記後蓋当て板の遮蔽リブの下方に配置したことにより、折れ蓋状態ではなく前蓋と後蓋とで１つの面を形成する状態のときに、透明の中央部から軸支構造をみえにくくすることによって、外観性が低下することがなくなり、商品価値が向上するものである。
【００２０】
第２の発明は、第１の発明において、把手部は、後蓋と対向する位置であって前蓋の前方部に配置したことにより、使い勝手向上やデザインの自在性が著しく向上するものである。
【００２１】
第３の発明は、第１または第２の発明において、洗濯機本体と、前記洗濯機本体の前方に操作表示パネルを配した上面カバーと、前記上面カバーの略中央位置に設けられ上方向に開閉可能な蓋装置とを備えた洗濯機を構成することにより、蓋装置を閉じている状態で透明の中央部から内方を覗いた際に、透明の中央部から軸支構造をみえにくくすることによって、外観性が低下することがなくなり、商品価値が向上するものである。
【００２２】
以下、本発明の実施の形態について、図面を参照しながら説明する。なお、従来例と同じ構成のものは同一符号を付して説明を省略する。また、この実施の形態によって本発明が限定されるものではない。
【００２３】
（実施の形態１）
図１は、本発明の実施の形態１における洗濯機の蓋を備えた洗濯機の斜視図を示すものである。
【００２４】
図１の斜視図において、洗濯機本体３１の上面を被覆する上面カバー３２の略中央部には開閉自在に蓋体３３を配置する。前記蓋体３３は、前蓋体３４と後蓋体３５を略中央部３６にて、後述する軸支構造で折り畳み可能に構成し、前蓋体３４の中央部３４ａと後蓋体３５の中央部３５ｂは透明構造とし、洗濯機本体内部を視認可能にしている。
【００２５】
また、後蓋体３５と対向する位置であって前蓋体３４の前方部に配され、前蓋体３４の洗濯機本体３１の前方上部の操作表示パネル３８に近接した位置に配した把手部３７を上方に操作することで、蓋開き状態とすることができる。
【００２６】
図２の蓋開き時の洗濯機の斜視図において、把手部３７を持ち上げつつ後方に押し込む操作にて、軸支部３６で屈曲させつつ蓋体３３は開き状態となり内部の洗濯槽３９に衣類等の洗濯物の投入や、洗剤の投入が可能になる。また蓋閉じの状態、すなわち前蓋体３４と後蓋体３５とが折れ蓋状態ではなく前蓋体３４と後蓋体３５とで１つの面を形成する状態では、透明構造の中央部３４ａ等から内部の洗濯槽３９の状況たとえば衣類の動き等を視認することが可能な構成である。
【００２７】
なお、蓋体３３を軸支構造で折り畳み可能にしている理由は、蓋体３３を開いた際に衣類の投入や取り出し作業をしやすくするため蓋体３３を大型化した際に、一枚構造では開き時の高さが高くなりすぎて操作性を低下する事を避けるためと、洗濯機設置場所の上方のスペースで他の部材との干渉を避けるためである。
【００２８】
図３の蓋の外観斜視図において、前蓋体３４は、把手部３７を有し透明材質で略半円形状の前蓋４０と、前蓋４０の裏面から装着される不透明部材で略馬蹄形状の前蓋当て板４１で構成され、後蓋体３５は、透明材質で略台形形状の後蓋４２と、前記後蓋４２の裏面から装着され、かつ中央に開口４３を有し外形形状が後蓋４２の形状に近似する後蓋当て板４４で構成される。
【００２９】
上記の前蓋４０、前蓋当て板４１および後蓋４２、後蓋当て板４４等の部材は、複雑な形状に対応可能で、デザインの多様性に適応可能で、生産性の高いプラスチック成型加工品が多用される。
【００３０】
図４の蓋の断面図において、前蓋４０と後蓋４２とを回動自在に軸支した軸支構造５３の折れ蓋を構成する内容を説明する。
【００３１】
前蓋４０には、貫通する穴で構成する軸受部４６を有する軸受リブ４７を後ろ壁５０後方に複数個一体形成し、一方、後蓋４２の裏面下側から装着した後蓋当て板４４には、前蓋４０の軸受部４６に対応する位置に、支持軸４５を有する支持軸リブ４９が一体形成される。
【００３２】
支持軸４５を前記軸受部４６に装着して、前蓋４０と後蓋４２が回動自在となり軸支構造５３が構成される。
【００３３】
前蓋４０の軸受部４６および軸受リブ４７は、前蓋４０の後ろ壁５０後方に突出した位置に延設しているので、後蓋当て板４４の支持軸４５および支持軸リブ４９の配置は、開口４３側に延設した遮蔽リブ５２の略下方に配置構成される。したがって、蓋体３３を閉じた状態において、使用者がよく見る状態である斜め前方上方から透明材を通して槽内を視認した際に、軸受部４６および支持軸４５、支持軸リブ４９等がみえにくくなり、蓋体３３を閉じた状態でのデザイン性が向上する。
【００３４】
後蓋当て板４４を樹脂成型材で構成する場合には、この部分は成型加工の金型構成上アンダーカット構造となるので、遮蔽リブ５２の下方には成型加工時の金型スライド部材摺動の筋状の跡が発生するが、後蓋当て板４４の表面側に配置する透明材の後蓋４２には、特別な加工は不要で、上記のアンダーカット構成は不要となる。
【００３５】
なお、前蓋４０側の軸受部４６や軸受リブ４７の位置は、後ろ壁５０より後方に突出した構成のため、金型構成上アンダーカット構成は不要となる。
【００３６】
後蓋当て板４４は不透明部材であり、かつ後蓋当て板４４に形成した支持軸リブ４９および支持軸４５は、後蓋当て板４４の中央の開口４３側に延設した遮蔽リブ５２にて遮蔽されているので、上面即ち透明部材の後蓋４２側から視認しにくい構成となる。
【００３７】
図５の蓋の分解斜視図において、透明材質で略台形形状の平板上の後蓋４２は、その裏面から不透明の後蓋当て板４４を装着され、後蓋当て板４４の中央に開口４３を介して、下方が透視できる。
【００３８】
また、把手部３７を前方に形成した透明材質の前蓋４０も、裏面から装着される不透明の略馬蹄形状の前蓋当て板４１を除く中央部より、下方が透視できる。
【００３９】
後蓋当て板４４に形成した支持軸４５および前蓋４０側の軸受部４６の配置は、把手部３７の幅や配置に関係なく、後蓋当て板４４および前蓋４０の幅寸法を最大限活用して配置幅を大きく設定している。
【００４０】
なお、図示していないが、前蓋４０と前蓋当て板４１および後蓋４２と後蓋当て板４４とは、溶着、接着、勘合や嵌め込み等の一般的な加工で装着される。
【００４１】
透明部材で構成された前蓋４０には、裏面に構成する軸受部４６を有する軸受リブ４７は金型上アンダーカット構成にならないため、成型加工上の金型スライド部材摺動の筋状の跡の発生は無い。
【００４２】
後蓋４２もまた、金型上のアンダーカットは不要で成型加工時の金型スライド部材摺動の筋状の跡の発生は無く、その上面からは、後蓋当て板４４の遮蔽リブ５２に遮られるので、支持軸リブ４９および支持軸４５等の軸支構造はもちろん、後蓋当て板４４裏面に発生するアンダーカットによる摺動の筋状の跡もまた視認できない。
【００４３】
また、前蓋４０と後蓋４２との複数個の軸支構造５３が、前蓋４０または後蓋４２幅寸法まで広く設定できるので、安定した折り畳み動作が得られる。
【００４４】
以上のように、本実施の形態においては、後蓋の裏面から遮蔽リブ５２を有する後蓋当て板４４を装着することにより、図１の蓋体３３を閉じている状態で透明の中央部３４ａおよび３５ｂから内方を覗いた際の、軸支構造や金型上の摺動の筋状の跡などの外観性が低下する構成を視認しにくくなり、商品価値が向上する。
【００４５】
また、従来例にあったような、把手部３７の配置を略中央部３６に近接させて軸支構造の上方に位置させて軸支構造を遮蔽するという必要性は解消されるので、蓋開閉の安定がなされるとともに、把手部３７の配置の自在性が得られ、本体前方の操作表示パネルに近接した位置に配置することによる使い勝手向上やデザインの自在性が著しく向上するものである。
【産業上の利用可能性】
【００４６】
以上のように、本発明にかかる洗濯機の蓋装置は、透視性材料にて構成された蓋装置の外観性を高めることができるので、内部を視認する事が求められる家庭用機器の蓋として有用である。
【符号の説明】
【００４７】
３１  洗濯機本体
３２  上面カバー
３３  蓋体
３７  把手部
３８  操作表示パネル
４０  前蓋
４１  前蓋当て板
４２  後蓋
４３  開口
４４  後蓋当て板
５２  遮蔽リブ
５３  軸支構造
【図１】
2011200274.tif 000003
【図２】
2011200274.tif 000004
【図３】
2011200274.tif 000005
【図４】
2011200274.tif 000006
【図５】
2011200274.tif 000007
【図６】
2011200274.tif 000008
【図７】
2011200274.tif 000009